(57)【要約】      （修正有）【課題】迅速で効果的な散熱を達成することができ、散熱モジュールの重量を大幅に軽量化可能で、材料コストを低下させることができる散熱モジュールを提供する。【解決手段】各散熱フィン２１は導熱チューブ３０の数に対応し、少なくとも一個の開口部を形成し、これに導熱チューブ３０の散熱部３２を通過させ、ベース１０はアルミニウム材質圧力鋳造部品１１と銅底板１２により製造し、アルミニウム材質圧力鋳造部品１１上には収容設置槽を開設し、これにより銅底板１２は収容設置槽内に嵌合され、しかもアルミニウム材質圧力鋳造部品１１と銅底板１２上面には導熱チューブ３０の数に対応し、少なくとも一本の槽道を開設し、これにより導熱チューブ３０の伝導部３１をその上に設置し、ベース１０の銅底板１２と熱源の密着接合により、熱源が発生する熱はベース１０を経て導熱チューブ３０を経由し散熱部品２０へと伝達され、散熱部品２０の複数の散熱フィン２１により発散される。【選択図】図２
0003148040.tif 000002
【実用新案登録請求の範囲】
【請求項１】
散熱モジュールであって、
アルミニウム材質圧力鋳造部品と銅底板により構成するベース、複数のアルミニウム材質散熱フィンにより構成する散熱部品、及び少なくとも一本の導熱チューブからなり、
該各散熱フィンは導熱チューブの数に対応し、少なくとも一個の開口部を開設し、これにより該導熱チューブの散熱部を接続し、
該アルミニウム材質圧力鋳造部品上には収容設置槽を開設し、これにより銅底板は該収容設置槽に嵌合され、該アルミニウム材質圧力鋳造部品と該銅底板上面には該導熱チューブの数に対応し、少なくとも一本の槽道を開設し、これにより該導熱チューブの伝導部をその上に設置し、
該ベースの銅底板と熱源との密着接合により、熱源が発生する熱をベースを通して導熱チューブを経由し散熱部品に伝え、散熱効果を達成したことを特徴とする、散熱モジュール。
【考案の詳細な説明】
【技術分野】
【０００１】
本考案は、散熱モジュールに関し、特に銅質材とアルミニウム質材を組合せて構成する散熱ベースで、導熱チューブと散熱フィンを対応させた簡易な組合せにより、最良の散熱効果を達成可能な散熱モジュールに関するものである。
【背景技術】
【０００２】
電子テクノロジー産業の急速な発展に従い、電子装置の作動と処理速度は高速化が進んでいる。
電子設備の正常な作動を確保し、使用寿命を延長するため、電子パーツの散熱処理の重要性は増しており、日に日に重視されるようになっている。そのため、様々なアプリケーションに対応した電子パーツの散熱構造が、開発され、発売されている。
【０００３】
図１に示す従来の散熱モジュール構造では、散熱モジュール100は散熱フィンとサーモチューブ110を利用し、散熱作用を達成する。
該散熱モジュール100中のサーモチューブ110は、リフローソルダリングプロセスにより、台体120の孔槽122中に接続し、これによりサーモチューブ110の伝導部110aと台体120は良好な接合関係を呈する。
また、該サーモチューブ110の散熱部110bは、フィンユニット130を接続し、該フィンユニット130は同様にリフローソルダリングプロセスによりサーモチューブ110と連接する。
こうして、電子パーツが熱を発生すると、台体120、サーモチューブ110を通して、フィンユニット130により散熱され、散熱モジュール100の散熱性能を向上させることができる。
【０００４】
但し、この種の形態の散熱構造では、台体120が単一の銅材により構成されるため、台体が過重であり、電子製品全体を重くしてしまい、しかも、コスト高を招くという欠点がある。
本考案は、従来の散熱モジュールの上記した欠点に鑑みてなされたものである。
【特許文献１】特開２００２−３５３６７８号公報
【考案の開示】
【考案が解決しようとする課題】
【０００５】
本考案が解決しようとする課題は、散熱効率を向上させ、散熱モジュールの重量を軽量化し、生産コストを低下させ、生産量を向上させ、しかも組立てが便利な散熱モジュールを提供することである。
【課題を解決するための手段】
【０００６】
上記課題を解決するため、本考案は下記の散熱モジュールを提供する。
散熱モジュールはベース、アルミニウム材質圧力鋳造部品と銅底板により構成するベース、複数のアルミニウム材質散熱フィンにより構成する散熱部品、及び少なくとも一本の導熱チューブからなり、
該各散熱フィンは導熱チューブの数に対応し、少なくとも一個の開口部を開設し、これにより該導熱チューブの散熱部を接続し、
該アルミニウム材質圧力鋳造部品上には収容設置槽を開設し、これにより銅底板は該収容設置槽に嵌合され、該アルミニウム材質圧力鋳造部品と該銅底板上面には該導熱チューブの数に対応し、少なくとも一本の槽道を開設し、これにより該導熱チューブの伝導部をその上に設置し、
該ベースの銅底板と熱源との密着接合により、熱源が発生する熱をベースを通して導熱チューブを経由し散熱部品に伝え、該散熱部品の複数の散熱フィンにより、迅速で効果的な散熱を達成することができ、しかも散熱モジュールの生産コストと全体的な重量を低下させることができる。
【考案の効果】
【０００７】
本考案は、迅速で効果的な散熱を達成することができ、散熱モジュールの重量を大幅に軽量化可能で、材料コストを低下させることができる。
【考案を実施するための最良の形態】
【０００８】
以下に図面を参照しながら本考案を実施するための最良の形態について詳細に説明する。
図2、3、4は、本考案散熱モジュールの組合せ図である。
図に示すように、本考案散熱モジュールは、ベース10、散熱部品20、少なくとも一本の導熱チューブ30を備える。
【０００９】
該散熱部品20は、複数のアルミニウム材質散熱フィン21により構成する。
該各散熱フィン21は導熱チューブ30の数に対応し、少なくとも一個の開口部を形成し、 該少なくとも一本の導熱チューブ30の散熱部32を通過させる。
該導熱チューブ30の伝導部31は、該ベース10のアルミニウム材質圧力鋳造部品11及び銅底板12上面が構成する槽道14と相互に接合する。
【００１０】
該ベース10は、アルミニウム材質圧力鋳造部品11と銅底板12により構成する。
該アルミニウム材質圧力鋳造部品11上には、収容設置槽13を開設し、該銅底板11を該収容設置槽13に嵌合し、ベース10を構成する。
該アルミニウム材質圧力鋳造部品11と該銅底板12上面には、該導熱チューブ30の数に対応し、少なくとも一本の槽道14を開設し、これにより該導熱チューブ30の伝導部21をその上に設置する。
【００１１】
該ベース10の銅底板11と熱源が密着接合することで、熱源が発生する熱はベース10により、該導熱チューブ30を経て散熱部品20に伝達され、さらに、散熱部品20の複数の散熱フィン21により、迅速で効果的な散熱を達成することができる。
【００１２】
本考案は、固定板ネジを利用し、導熱チューブ30を該アルミニウム材質圧力鋳造部品11のネジ孔に螺合することができる。
該ベース10はアルミニウム材質圧力鋳造部品11と銅底板12により製造するため、単一銅材質の散熱ブロックの過重であるという欠点を解決可能で、材料コストを低下させることもできる。
【００１３】
本考案の散熱モジュールは、散熱チューブと散熱フィンの簡易な組合せを使用し、最良の散熱効果を達成することができ、以下のような具体的な利点を備える。
1.本考案の散熱モジュールは、アルミニウム材質圧力鋳造部品11と銅底板12を嵌合して構成する散熱ベースにより伝熱し、散熱部品の複数の散熱フィンを経由するため、充分な散熱作用を実現することができる。
2.本考案の散熱モジュールはアルミニウム材に銅材を対応させるため、散熱モジュール全体の重量を低下させ、材料コストを引き下げることができる。
3.本考案は製品歩留まりを向上させ、生産量を拡大可能で、市場競爭力を強化することができる。 
【００１４】
本考案は具体的の実施例を上記の通り開示したが、これらは最適実施例に過ぎず、本考案を限定するものではない。当該技術を熟知する者なら誰でも、本考案の製品と領域を脱しない範囲内で各種の変動や潤色を加えることができ、したがって本考案の保護範囲は、実用新案請求の範囲で指定した内容を基準とする。
【図面の簡単な説明】
【００１５】
【図１】従来の散熱モジュールの立体図である。
【図２】本考案散熱モジュールの組合せ立体図である。
【図３】本考案散熱モジュールの組合せ俯瞰図である。
【図４】本考案散熱モジュールのベース嵌合の模式図である。
【符号の説明】
【００１６】
100    散熱モジュール
110    サーモチューブ
120    台体
122    孔槽
110a、110b  サーモチューブ端部
130  フィンユニット
10    ベース
11    アルミニウム材質圧力鋳造部品
12    銅底板
13    収容設置槽
14    槽道
20    散熱部品
21    散熱フィン
30    導熱チューブ
31    伝導部
32    散熱部
【図１】
0003148040.tif 000003
【図２】
0003148040.tif 000004
【図３】
0003148040.tif 000005
【図４】
0003148040.tif 000006